(57)【特許請求の範囲】
【請求項１】
複数の通信ケーブルを収容するための収容トレイを備えた通信機器であって、
前記収容トレイに、
前記複数の通信ケーブルを収容する収容路と、
前記複数の通信ケーブルの余長部分を処理する余長処理部と、
前記複数の通信ケーブルを相互に接続するケーブル接続手段を、当該通信機器に対して着脱自在に固定するための接続具固定手段と、
多重化された第１の信号及び第２の信号を相互に分離する分離フィルタを、当該通信機器に対して着脱自在に固定するためのフィルタ固定手段とを設け、
前記収容路を前記余長処理部に壁を隔てて隣接させて配置し、
前記収容路に、前記フィルタ固定手段を配置したこと、
を特徴とする通信機器。
【請求項２】
複数の通信ケーブルを収容するための収容トレイを備えた通信機器であって、
前記収容トレイに、
前記複数の通信ケーブルの余長部分を処理する余長処理部と、
前記複数の通信ケーブルを相互に接続するケーブル接続手段を、当該通信機器に対して着脱自在に固定するための接続具固定手段と、
多重化された第１の信号及び第２の信号を相互に分離する分離フィルタを、当該通信機器に対して着脱自在に固定するためのフィルタ固定手段とを設け、
前記フィルタ固定手段を、前記余長処理部を挟んで前記接続具固定手段と反対側に配置したこと、
を特徴とする通信機器。
【請求項３】
前記多重化された第１の信号及び第２の信号を当該通信機器の外部から内部に導入するための第１の通信ケーブルと、前記第１の信号及び前記第２の信号を前記分離フィルタに導入するための第２の通信ケーブルとを、第１のケーブル接続手段にて相互に接続し、
前記分離フィルタにて分離された前記第１の信号を伝送するための第３の通信ケーブルと、前記第１の信号を当該通信機器の内部から外部に出力するための第４の通信ケーブルとを、第２のケーブル接続手段にて相互に接続し、かつ、
前記分離フィルタにて分離された前記第２の信号を伝送するための第５の通信ケーブルと、前記第２の信号を当該通信機器の内部から外部に出力するための第６の通信ケーブルとを、第３のケーブル接続手段にて相互に接続する場合において、
前記接続具固定手段は、
前記第１のケーブル接続手段を固定するための第１の接続具固定手段と、
前記第２のケーブル接続手段を固定するための第２の接続具固定手段と、
前記第３のケーブル接続手段を固定するための第３の接続具固定手段と、
を備えたことを特徴とする請求項１又は２に記載の通信機器。
【請求項４】
前記接続具固定手段は、当該接続具固定手段から前記ケーブル接続手段を取り外すための取り外し手段を有すること、
を特徴とする請求項１から３のいずれか一項に記載の通信機器。
【請求項５】
前記取り外し手段は、前記接続具固定手段の近傍に配置され、当該接続具固定手段に固定された前記ケーブル接続手段に向けて弾性変形可能であること、
を特徴とする請求項４に記載の通信機器。
【請求項６】
前記収容トレイのベース面に切欠きを形成することにより、前記取り外し手段を形成したこと、
を特徴とする請求項４又は５に記載の通信機器。
【請求項７】
前記第１の接続具固定手段、前記第２の接続具固定手段、及び、前記第３の接続具固定手段を相互に並設すると共に、これらの各々に対する前記取り外し手段を相互に逆向きに並設したこと、
を特徴とする請求項６に記載の通信機器。
【請求項８】
複数の前記接続具固定手段を相互に並設すると共に、これら複数の接続具固定手段の各々にて固定される前記ケーブル接続手段の相互間に延在するように、前記取り外し手段を配置したこと、
を特徴とする請求項５に記載の通信機器。
【請求項９】
前記第１の接続具固定手段、前記第２の接続具固定手段、及び、前記第３の接続具固定手段を相互に並設し、
前記取り外し手段として、前記第１の接続具固定手段にて固定される前記ケーブル接続手段にのみ延在する第１の取り外し手段、前記第１と前記第２の接続具固定手段にて固定される前記ケーブル接続手段に延在する第２の取り外し手段、及び、前記第１から前記第３の接続具固定手段にて固定される前記ケーブル接続手段に延在する第３の取り外し手段を設けたこと、
を特徴とする請求項５に記載の通信機器。
【請求項１０】
前記収容路を区画する弾性片を、前記収容路の内部に延在させることにより、前記フィルタ固定手段を形成したこと、
を特徴とする請求項１又は３から９のいずれか一項に記載の通信機器。
【発明の詳細な説明】
【技術分野】
【０００１】
本発明は、複数の通信ケーブルを収容するための通信機器に関する。
【背景技術】
【０００２】
現在、光ファイバを使った家庭向けのデータ通信サービスであるＦＴＴＨ（Fiber To The Home）が一般家庭に普及しつつある。このＦＴＴＨにおいては、屋外に敷設された光ファイバが、一般家屋等の屋内または屋外の壁面に設置された光受信機に接続される。そして、光ファイバから光受信機を介して伝送された通信データが、家庭内のパソコンやＴＶ等の各機器に伝送される。
【０００３】
図１２は、カバー部を開いた状態における従来の光受信機の斜視図である。この光受信機１００は、筐体１０１に、光電変換ユニット１０２と、図示しない光ファイバを整理・収容するための光ファイバトレイ１０３とを収容して構成されている。このうち、光電変換ユニット１０２は、光ファイバからの光信号を電気信号に変換する変換部であり、図示しないコネクタを介して光ファイバと接続される。また、光電変換ユニット１０２には、変換された電気信号を出力する図示しない接続端子が設けられており、この接続端子を介して電気信号をＴＶ等の各機器に伝送する。
【０００４】
また、光ファイバトレイ１０３には、光ファイバを巻き取ると共にその余長部分を収容するための収容路１０４が形成されており、この収容路１０４の内部に、光ファイバを巻き付けて、これを保持しておくことができる。この収容路１０４には、複数の光ファイバを相互に接続するための２つのメカニカルスプライス（図示せず）を固定するためのスプライス固定部１０５が設けられており、このスプライス固定部１０５に２つのメカニカルスプライスを着脱自在に取り付けることができる（例えば、特許文献１及び特許文献２参照）。
【０００５】
ここで、従来の光受信機は、入力信号を変換することなくそのまま伝送することを前提に構成されていた。すなわち、光受信機にて中継される信号には、ＴＶ信号等の映像信号と、インターネット等の通信信号とがあるが、これら各信号はそれぞれ単に別個の光ファイバにて伝送され、光受信機の内部に導入されていた。そして、この光受信機の内部において、これらの光ファイバがそれぞれ他の光ファイバに接続され、通信信号を伝送する光ファイバは屋内に引き込まれ、映像信号を伝送する光ファイバは上述した光電変換ユニットに接続されていた。
【０００６】
【特許文献１】特開２００４−３５４８８４号公報
【特許文献２】特開２００４−３５４８８５号公報
【発明の開示】
【発明が解決しようとする課題】
【０００７】
しかしながら、このような従来の信号の伝送形態においては、映像信号を伝送する光ファイバと、通信信号を伝送する光ファイバとを、それぞれ光受信機に引き込む必要があったので、光ファイバの引き込みが煩雑であった。
【０００８】
ここで、このような問題を解消するためには、映像信号と通信信号とをＷＤＭ（波長分割多重：Wavelength Division Multiplexing）等にて多重化し、１本の光ファイバを介して光受信機に導入することが考えられる。しかしながら、この場合には、光受信機の内部に収容すべき通信要素が従来と大きく異なることになり、従来の光受信機の構成ではこれに対応できないという問題があった。具体的には、多重化された信号を分離するためのフィルタや、従来よりも多数のメカニカルスプライスを、光受信機の内部に収容する必要が生じる等、これら新規な通信要素の収容構造を構築することが要望されていた。
【０００９】
本発明は、上記に鑑みてなされたものであって、複数の信号を多重化して導入する場合においても、各種の通信要素を容易かつ確実に収容することができる、光受信機を提供することを目的とする。
【課題を解決するための手段】
【００１０】
上述した課題を解決し、目的を達成するために、請求項１に記載の本発明は、複数の通信ケーブルを収容するための収容トレイを備えた通信機器であって、前記収容トレイに、前記複数の通信ケーブルを収容する収容路と、前記複数の通信ケーブルの余長部分を処理する余長処理部と、前記複数の通信ケーブルを相互に接続するケーブル接続手段を、当該通信機器に対して着脱自在に固定するための接続具固定手段と、多重化された第１の信号及び第２の信号を相互に分離する分離フィルタを、当該通信機器に対して着脱自在に固定するためのフィルタ固定手段とを設け、前記収容路を前記余長処理部に壁を隔てて隣接させて配置し、前記収容路に、前記フィルタ固定手段を配置したことを特徴とする。
また、請求項２に記載の本発明は、複数の通信ケーブルを収容するための収容トレイを備えた通信機器であって、前記収容トレイに、前記複数の通信ケーブルの余長部分を処理する余長処理部と、前記複数の通信ケーブルを相互に接続するケーブル接続手段を、当該通信機器に対して着脱自在に固定するための接続具固定手段と、多重化された第１の信号及び第２の信号を相互に分離する分離フィルタを、当該通信機器に対して着脱自在に固定するためのフィルタ固定手段とを設け、前記フィルタ固定手段を、前記余長処理部を挟んで前記接続具固定手段と反対側に配置したことを特徴とする。
【００１１】
請求項３に記載の本発明は、請求項１又は２に記載の本発明において、前記多重化された第１の信号及び第２の信号を当該通信機器の外部から内部に導入するための第１の通信ケーブルと、前記第１の信号及び前記第２の信号を前記分離フィルタに導入するための第２の通信ケーブルとを、第１のケーブル接続手段にて相互に接続し、前記分離フィルタにて分離された前記第１の信号を伝送するための第３の通信ケーブルと、前記第１の信号を当該通信機器の内部から外部に出力するための第４の通信ケーブルとを、第２のケーブル接続手段にて相互に接続し、かつ、前記分離フィルタにて分離された前記第２の信号を伝送するための第５の通信ケーブルと、前記第２の信号を当該通信機器の内部から外部に出力するための第６の通信ケーブルとを、第３のケーブル接続手段にて相互に接続する場合において、前記接続具固定手段は、前記第１のケーブル接続手段を固定するための第１の接続具固定手段と、前記第２のケーブル接続手段を固定するための第２の接続具固定手段と、前記第３のケーブル接続手段を固定するための第３の接続具固定手段と、を備えたことを特徴とする。
【００１２】
請求項４に記載の本発明は、請求項１から３のいずれか一項に記載の本発明において、前記接続具固定手段は、当該接続具固定手段から前記ケーブル接続手段を取り外すための取り外し手段を有すること、を特徴とする。
【００１３】
請求項５に記載の本発明は、請求項４に記載の本発明において、前記取り外し手段は、前記接続具固定手段の近傍に配置され、当該接続具固定手段に固定された前記ケーブル接続手段に向けて弾性変形可能であること、を特徴とする。
【００１４】
請求項６に記載の本発明は、請求項４又は５に記載の本発明において、前記収容トレイのベース面に切欠きを形成することにより、前記取り外し手段を形成したこと、を特徴とする。
【００１５】
請求項７に記載の本発明は、請求項６に記載の本発明において、前記第１の接続具固定手段、前記第２の接続具固定手段、及び、前記第３の接続具固定手段を相互に並設すると共に、これらの各々に対する前記取り外し手段を相互に逆向きに並設したこと、を特徴とする。
【００１６】
請求項８に記載の本発明は、請求項５に記載の本発明において、複数の前記接続具固定手段を相互に並設すると共に、これら複数の接続具固定手段の各々にて固定される前記ケーブル接続手段の相互間に延在するように、前記取り外し手段を配置したこと、を特徴とする。
【００１７】
請求項９に記載の本発明は、請求項５に記載の本発明において、前記取り外し手段として、前記第１の接続具固定手段にて固定される前記ケーブル接続手段にのみ延在する第１の取り外し手段、前記第１と前記第２の接続具固定手段にて固定される前記ケーブル接続手段に延在する第２の取り外し手段、及び、前記第１から前記第３の接続具固定手段にて固定される前記ケーブル接続手段に延在する第３の取り外し手段を設けたこと、を特徴とする。
【００１８】
請求項１０に記載の本発明は、請求項１又は３から９のいずれか一項に記載の本発明において、前記収容路を区画する弾性片を、前記収容路の内部に延在させることにより、前記フィルタ固定手段を形成したことを特徴とする。
【発明の効果】
【００１９】
この発明によれば、ケーブル接続手段を固定するための接続具固定手段に加えて、分離フィルタを固定するためのフィルタ固定手段を設けたことで、分離フィルタを用いて信号分離を行なう新規な信号電送形態を採用する場合においても、この信号電送に必要な通信要素を光受信機の内部に固定でき、新規な信号電送を容易に実現可能とすることができる。特に、従来存在しなかったフィルタ固定手段を設けたことにより、光ケーブルの収容作業において、最初に、ケーブル接続手段を接続具固定手段に固定すると共に分離フィルタをフィルタ固定手段に固定することでこれら各固定手段の位置決めを行い、次いで、光ファイバの余長部の収容作業を行うというように、光ケーブルの収容作業を段取りよく行うことができ、その作業性が向上する。
【００２０】
この発明によれば、接続具固定手段を３つ設けたことにより、分離フィルタを用いて信号分離を行なう新規な信号電送形態において使用される多数のケーブル接続手段を光受信機の内部に固定でき、新規な信号電送を容易に実現可能とすることができる。
【００２１】
この発明によれば、ケーブル接続手段を取り外すための取り外し手段を設けたことにより、ケーブル接続手段を容易かつ確実に取り外すことを可能とし、光受信機における作業性を向上させることができる。
【００２２】
この発明によれば、取り外し手段をケーブル接続手段に向けて弾性変形可能としたので、取り外し手段を押し上げる等して弾性変形させるだけで、ケーブル接続手段を押し出して取り外すことができ、光受信機の設置作業性を向上させることができると共に、取り外し手段を簡易かつ安価に構成できる。
【００２３】
この発明によれば、収容トレイのベース面に切欠きを形成することで取り外し手段を形成したので、収容トレイに対する別部材を要することなく取り外し手段を形成でき、取り外し手段を簡易かつ安価に構成できる。
【００２４】
この発明によれば、取り外し手段を相互に逆向きに並設したので、意図とは異なるケーブル接続手段を不用意に取り外してしまうようなことを防止できると共に、取り外し手段の配置スペースを省スペース化できる。
【００２５】
この発明によれば、ケーブル接続手段の相互間に延在するように取り外し手段を配置したので、取り外し手段をいずれかのケーブル接続手段に向けて弾性変形させることにより、このケーブル接続手段を押圧して取り外すことが可能になる。
【００２６】
この発明によれば、取り外し手段として、第１〜第３の取り外し手段を設けたので、第１の取り外し手段を弾性変形させた場合には第１の接続具固定手段にて固定されるケーブル接続手段、第２の取り外し手段を弾性変形させた場合には第１及び第２の接続具固定手段にて固定されるケーブル接続手段、第３の取り外し手段を弾性変形させた場合には第１から第３の接続具固定手段にて固定されるケーブル接続手段をそれぞれ取り外すことができ、複数のケーブル接続手段を所定の組合せで同時に取り外すことができるので、光受信機の設置作業性を向上させることができる。
【００２７】
この発明によれば、弾性片を収容路の内部に延在させることでフィルタ固定手段を構成したので、弾性片を押し広げる等して弾性変形させるだけで、分離フィルタを固定でき、光受信機の設置作業性を向上させることができると共に、取り外し手段を簡易かつ安価に構成できる。
【発明を実施するための最良の形態】
【００２８】
以下に添付図面を参照して、この発明に係る光受信機の各実施の形態を詳細に説明する。まず、〔I〕各実施の形態に共通の基本的概念を説明した後、〔II〕実施の形態１，２の具体的内容について順次説明し、〔III〕最後に、各実施の形態に対する変形例について説明する。ただし、これら各実施の形態によって本発明が限定されるものではない。
【００２９】
〔I〕各実施の形態に共通の基本的概念
まず、各実施の形態に共通の基本的概念について説明する。本発明は、概略的に、複数の通信ケーブルを収容するための通信機器に関する。ここで、通信機器には、通信ケーブルを固定する必要が生じ得る全ての機器が該当し、具体的には、上述した光受信機や、屋内における光ファイバの終端装置（ＯＮＵ：Optical Network Unit）が該当する。また、通信ケーブルの具体的構造や名称は任意であり、上述した光ファイバの他、同軸ケーブルを含む通信ケーブルが該当する。以下の実施の形態においては、光受信機に光ファイバを収容する場合について説明する。なお、具体的には、光ファイバを補強体で被覆することで光ケーブルが構成されており、この光ケーブルを光受信機に引き込み、この光受信機の内部において光ファイバを補強体から分岐して収容するが、説明の簡略化のため、光ファイバと光ケーブルとを特に区別することなく説明を行なう。
【００３０】
各実施の形態では、前提として、多重化された少なくとも２種類の信号を伝送する光ファイバを光受信機に引き込み、これら２種類の信号を分離フィルタにて分離して、複数の光ファイバにて伝送する。これら各光ファイバは、必要に応じて、メカニカルスプライスにて相互に接続される。従って、光受信機の内部には、メカニカルスプライスを固定するための固定手段と、分離フィルタを固定するための固定手段とを備える。そして、これら各固定手段の配置や構造を工夫することにより、光ファイバや固定手段の容易かつ確実な収容構造を構築している。
【００３１】
〔II〕各実施の形態の具体的内容
以下に添付図面を参照して、実施の形態１，２の具体的内容について順次詳細に説明する。
【００３２】
〔実施の形態１〕
まず、本発明に係る実施の形態１の具体的内容について詳細に説明する。この実施の形態１は、３つのメカニカルスプライスを固定するための固定手段と、ＷＤＭフィルタを固定するための固定手段とを備えた光受信機に関するものである。
【００３３】
（光受信機の基本構成）
最初に、光受信機の基本構成を説明する。図１は本実施の形態に係る光受信機の正面図、図２は図１の光受信機の底面図、図３はカバー部を開いた状態における図１の光受信機の正面図、図４は光受信機における信号の伝送経路を概念的に示す信号系統図である。なお、以下の説明においては、図１のＸ方向を左右方向、図１のＹ方向を上下方向、図２のＺ方向を前後方向とする。
【００３４】
光受信機１は、各種の信号の中継等を行なうもので、特許請求の範囲における通信機器に対応する。まず、この光受信機１の機能を示すため、光受信機１における信号の伝送経路について説明する。図４に示すように、概略的には、多重化された映像信号及び通信信号を伝送するための光ファイバＯＦ１が、光受信機１に引き込まれ、メカニカルスプライスＭＳ１を介して他の光ファイバＯＦ２に接続される。この光ファイバＯＦ２はＷＤＭフィルタＦ１に接続され、映像信号及び通信信号がそれぞれ分離される。このＷＤＭフィルタＦ１からは、映像信号を伝送するための光ファイバＯＦ３と、通信信号を伝送するための光ファイバＯＦ４とが引き出される。
【００３５】
このうち、映像信号用の光ファイバＯＦ３は、メカニカルスプライスＭＳ２を介して他の光ファイバＯＦ５に接続され、この光ファイバＯＦ５は、光電変換ユニット３０に接続され、この光電変換ユニット３０において映像信号が光信号から電気信号に変換される。この電気信号としての映像信号は、光電変換ユニット３０の接続端子３１を介して図示しない同軸ケーブルに伝送される。一方、ＷＤＭフィルタＦ１を出た通信信号用の光ファイバＯＦ４は、メカニカルスプライスＭＳ３を介して他の光ファイバＯＦ６に接続され、この光ファイバＯＦ６は、光受信機１の外部に引き出されて所定機器に接続される。なお、ＷＤＭフィルタＦ１からの光ファイバＯＦ３、ＯＦ４の引き出し形態は、当該ＷＤＭフィルタＦ１の種類や型式に応じて異なり得るため、これに応じて、図４に例示した伝送経路も異なり得る。なお、映像信号、通信信号、メカニカルスプライスＭＳ１、メカニカルスプライスＭＳ２、メカニカルスプライスＭＳ３、ＷＤＭフィルタＦ１、光ファイバＯＦ１、光ファイバＯＦ２、光ファイバＯＦ３、光ファイバＯＦ５、光ファイバＯＦ４、光ファイバＯＦ６は、それぞれ、特許請求の範囲における、第１の信号、第２の信号、第１のケーブル接続手段、第２のケーブル接続手段、第３のケーブル接続手段、分離フィルタ、第１の通信ケーブル、第２の通信ケーブル、第３の通信ケーブル、第４の通信ケーブル、第５の通信ケーブル、第６の通信ケーブルに対応する。
【００３６】
次に、このような信号伝送を達成するための光受信機１の構成の概要について説明する。光受信機１は、図１〜３に示すように、筐体１０の内部に、光ファイバトレイ２０、及び、光電変換ユニット３０（図４においてのみ図示する）を着脱自在に収めて構成されている。このうち、筐体１０は、光受信機１の構造体であり、光ファイバトレイ２０及び光電変換ユニット３０を外部から保護する保護手段である。この筐体１０は、一側面を開放した略箱形状のベース部１１と、このベース部１１をその開放面側から略覆うカバー部１２とを備えて構成されており、カバー部１２はベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ファイバを筐体１０の内部に引込むことができ、あるいは、筐体１０の内部から外部に光ファイバを引き出すことができる。また、引き込み口１３の側方には、光電変換ユニット３０の上述した接続端子３１が筐体１０の外部に露出され、この接続端子３１に同軸ケーブルを接続することができる。
【００３７】
また、光電変換ユニット３０（図４にのみ示す）は、光信号を電気信号に変換する光電変換手段である。この光変換部３０は、略直方体状に形成されており、その上部に設けた図示しない接続端子に光コネクタを介して光ファイバを接続でき、その内部に設けた図示しない光電変換回路によって光信号を電気信号に変換でき、その下部に設けた一対の接続端子３１を介して、同軸ケーブルに電気信号を出力可能である。
【００３８】
また、図１〜３において、光ファイバトレイ２０は、光ファイバを整理及び収容するためのもので、特許請求の範囲における収容トレイに対応する。図５は光ファイバトレイ２０の斜視図である。この光ファイバトレイ２０は、光ファイバを固定するためのファイバ固定部４０、メカニカルスプライスを固定するためのスプライス固定部５０、ＷＤＭフィルタＦ１を固定するためのフィルタ固定部６０、及び、光ファイバの余長を処理するための余長処理部２４を一体に備えて構成されており、筐体１０の内部に着脱可能に収容されている。ファイバ固定部４０には、外部から引き込まれた光ファイバの被覆線を固定でき、この被覆線の間から引き出された芯線のみが余長処理部２４に導入される。また、スプライス固定部５０には、図４のメカニカルスプライスＭＳ１〜ＭＳ３を着脱自在に固定可能である。また、フィルタ固定部６０には、図４のＷＤＭフィルタＦ１を着脱自在に固定できる。これらプライス固定部５０とフィルタ固定部６０とは、それぞれ、特許請求の範囲における接続具固定手段とフィルタ固定手段とに対応する。
【００３９】
（スプライス固定部５０の詳細）
次に、スプライス固定部５０の詳細について説明する。図６はスプライス固定部５０の拡大図であり、（ａ）はスプライス固定部５０の正面図、（ｂ）はスプライス固定部５０の側面図、（ｃ）は（ｂ）とは異なる方向から見たスプライス固定部５０の側面図である。これら各図に示すように、スプライス固定部５０は、前方固定部５１、後方固定部５２、及び、３枚の取り外し片５３〜５５を備えて構成されている。
【００４０】
このうち、前方固定部５１は、メカニカルスプライスＭＳ１〜ＭＳ３の前方部分を固定するための前方固定手段である。この前方固定部５１は、４枚の平板状の前方固定板５１ａ〜５１ｄを備えており、これら前方固定板５１ａ〜５１ｄの相互間の３つの間隙に、メカニカルスプライスＭＳ１〜ＭＳ３を挟持することができる。また、後方固定部５２は、メカニカルスプライスＭＳ１〜ＭＳ３の後方部分を固定するための後方固定手段である。この後方固定部５２は、前方固定部５１に対して、メカニカルスプライスＭＳ１〜ＭＳ３の長さに対応する距離だけ隔てて配置されており、前方固定部５１にメカニカルスプライスＭＳ１〜ＭＳ３の前方部分を挟持させた状態においては、これらメカニカルスプライスＭＳ１〜ＭＳ３の後方部分が後方固定部５２に位置する。この後方固定部５２は、前方固定部５１の前方固定板５１ａ〜５１ｄと略同一直線上に配置された４枚の平板状の後方固定板５２ａ〜５２ｂを備えており、これら後方固定板５２ａ〜５２ｂの相互間に、メカニカルスプライスＭＳ１〜ＭＳ３を挟持することができる。従って、これら前方固定部５１と後方固定部５２とによってメカニカルスプライスＭＳ１〜ＭＳ３の前後を固定して、これらメカニカルスプライスＭＳ１〜ＭＳ３を光ファイバトレイ２０の上面において確実に保持できる。このように、３つのメカニカルスプライスＭＳ１〜ＭＳ３を光ファイバトレイ２０に固定可能とすることで、従来よりも多数のメカニカルスプライスＭＳ１〜ＭＳ３を用いて光ファイバ接続を行うような新規な通信形態に対しても好適な光受信機１を構築できる。
【００４１】
また、３枚の取り外し片５３〜５５は、スプライス固定部５０からメカニカルスプライスＭＳ１〜ＭＳ３を取り外すためのもので、特許請求の範囲における取り外し手段に対応する。これら３枚の取り外し片５３〜５５は、前方固定部５１と後方固定部５２の相互間に並設されており、平板状のベース部５３ａ〜５５ａと、このベース部５３ａ〜５５ａから前方（当該メカニカルスプライスＭＳ１〜ＭＳ３に向う側）に突設された突起部５３ｂ〜５５ｂとを一体に備えて構成されている。ベース部５３ａ〜５５ａは、光ファイバトレイ２０に切欠きを設けることによって形成された弾性片であり、前方固定板５１ａ〜５１ｄや後方固定板５２ａ〜５２ｄの相互の間隔に略対応する幅（メカニカルスプライスＭＳ１〜ＭＳ３に略対応する幅）を有する。突起部５３ｂ〜５５ｂは、ベース部５３ａ〜５５ａの前後両面に略対称形状にて形成されており、メカニカルスプライスＭＳ１〜ＭＳ３固定時において、これらメカニカルスプライスＭＳ１〜ＭＳ３の後方と光ファイバトレイ２０との間に生じる隙間に略対応する高さを有する。
【００４２】
このような構成において、図７（ａ）に示すように、前方固定部５１及び後方固定部５２にメカニカルスプライスＭＳ１〜ＭＳ３を固定した場合、メカニカルスプライスＭＳ１〜ＭＳ３の後方に取り外し片５３〜５５が位置する。そして、取り外したいメカニカルスプライスＭＳ１〜ＭＳ３に対応する位置の取り外し片５３〜５５を操作することで、メカニカルスプライスＭＳ１〜ＭＳ３をスプライス固定部５０から取り外すことができる。具体的には、取り外し片５３〜５５の突起部５３ｂ〜５５ｂを、後方から前方（メカニカルスプライスＭＳ１〜ＭＳ３に向う側）に指や任意の治具で押し上げることにより、ベース部５３ａ〜５５ａを弾性変形させて前方に延在させ、メカニカルスプライスＭＳ１〜ＭＳ３を前方に押し上げる。従って、メカニカルスプライスＭＳ１〜ＭＳ３を容易かつ確実に取り外すことができ、光受信機１における作業性を向上させることができる。
【００４３】
特に、上述したように光ファイバトレイ２０に切欠きを設けることによってベース部５３ａ〜５５ａを形成したので、取り外し片５３〜５５の形成が極めて容易になる。すなわち、この他の取り外し片５３〜５５の形成方法としては、例えば、光ファイバトレイ２０の底面に開口を形成し、この開口の周辺部に、光ファイバトレイ２０とは別体に成形した取り外し片５３〜５５を熱溶着や接着等にて取り付けることも考えられるが、本実施の形態においては光ファイバトレイ２０を単に切欠くだけで取り外し片５３〜５５を形成しているので、その形成を極めてシンプルに行なうことができる。
【００４４】
また、図６（ａ）に示すように、３つの取り外し片５３〜５５を単に同方向に並設するのではなく、相互に逆向き（両端の取り外し片５３、５５の突起部５３ｂ、５５ｂは前方固定部５１側に位置するのに対して、中央の取り外し片５４の突起部５４ｂは後方固定部５２側に位置する）に並設している。このため、隣り合う取り外し片５３〜５５の相互間では突起部５３ｂ〜５５ｂが隣接していない。従って、いずれか一つの取り外し片５３〜５５の突起部５３ｂ〜５５ｂを指等で押す際に、誤って隣接する取り外し片５３〜５５に指が掛かってしまったような場合においても、隣接する取り外し片５３〜５５の突起部５３ｂ〜５５ｂを押してしまうことがないので、意図とは異なるメカニカルスプライスＭＳ１〜ＭＳ３を不用意に取り外してしまうようなことを防止できる。また換言すれば、３つの取り外し片５３〜５５が相互に近接していてもその操作を確実に行うことができるので、取り外し片５３〜５５の配置スペースを省スペース化できる。
【００４５】
（フィルタ固定部６０の詳細）
次に、フィルタ固定部６０の詳細について説明する。図８はフィルタ固定部６０の拡大図であり、（ａ）はＷＤＭフィルタＦ１の非固定時におけるフィルタ固定部６０の正面図、（ｂ）はＷＤＭフィルタＦ１の固定時におけるフィルタ固定部６０の正面図である。これら各図に示すように、フィルタ固定部６０は、一対の可動壁６１ａ、６２ｂを備えて構成されている。これら可動壁６１ａ、６２ｂは、光ファイバの収容路２５（特許請求の範囲における収容スペースに対応する）を形成する外壁２６と略平行に配置されて、この外壁２６と共に収容路２５を区画するもので、図８（ａ）に示すように、ＷＤＭフィルタＦ１の非固定時においては、収容路２５に入り込むように延在している。ここで、可動壁６１ａ、６２ｂは、外壁２６と一体に樹脂成形された弾性片であり、図８（ｂ）に示すように、この可動壁６１ａ、６２ｂの弾性力に抗して当該可動壁６１ａ、６２ｂを外側に押し開き、この際に形成された空間部に図４のＷＤＭフィルタＦ１を着脱自在に固定できる。また、この状態においては、可動壁６１ａ、６２ｂの弾性復元力によってＷＤＭフィルタＦ１が図示左方に付勢されるので、ＷＤＭフィルタＦ１が収容路２５から不用意に脱落することがない。このように、ＷＤＭフィルタ１を光ファイバトレイ２０に固定可能とすることで、このＷＤＭフィルタ１の如きフィルタにて信号分離を行うような新規な通信形態に好適な光受信機１を構築できる。
【００４６】
（実施の形態１の効果）
このように実施の形態１によれば、従来よりも多数のメカニカルスプライスＭＳ１〜ＭＳ３をスプライス固定部５０を用いて光ファイバトレイ２０に固定可能とすることで、多数のメカニカルスプライスＭＳ１〜ＭＳ３を用いて光ファイバ接続を行うような新規な通信形態に好適な光受信機１を構築できる。また、取り外し片５３〜５５を用いてメカニカルスプライスＭＳ１〜ＭＳ３を容易かつ確実に取り外すことができ、光受信機１における作業性を向上させることができる。特に、光ファイバトレイ２０に切欠きを設けることによってベース部５３ａ〜５５ａを形成したので、取り外し片５３〜５５の形成が極めて容易になる。また、取り外し片５３〜５５を相互に逆向きに並設したことで、意図とは異なるメカニカルスプライスＭＳ１〜ＭＳ３を不用意に取り外してしまうようなことを防止できると共に、取り外し片５３〜５５の配置スペースを省スペース化できる。
【００４７】
〔実施の形態２〕
次に、本発明に係る実施の形態２の具体的内容について詳細に説明する。この実施の形態２は、実施の形態１とは異なる固定手段を備えた光受信機に関するものである。ただし、特に説明なき構成においては実施の形態１と同様であるものとし、実施の形態１と同様の構成要素には、必要に応じて、実施の形態１で使用したものと同一の符号を付する。
【００４８】
図９は、実施の形態２に係るスプライス固定部の拡大図であり、（ａ）はメカニカルスプライスの固定時におけるスプライス固定部の斜視図、（ｂ）はメカニカルスプライスの取り外し時におけるスプライス固定部の斜視図である。これら各図に示すように、スプライス固定部７０は、特許請求の範囲における接続具固定手段に対応するものであり、前方固定部７１、後方固定部７２、及び、取り外し片７３を備えて構成されている。前方固定部７１と後方固定部７２とは、それぞれ、図示しない光ファイバトレイの底面から前方に立ち上げられた側面略Ｔ字形状の弾性部材であり、この光ファイバトレイの底面と上片７１ａ、７２ａとの相互間に、メカニカルスプライスＭＳ１、ＭＳ２を着脱自在に挟持することができる。ここでは、１つのスプライス固定部７０を用いて２つのメカニカルスプライスＭＳ１、ＭＳ２を固定でき、このスプライス固定部７０を複数設けることで３つ以上のメカニカルスプライスを固定できる。
【００４９】
また、取り外し片７３は、特許請求の範囲における取り外し手段に対応するもので、光ファイバトレイの底面から前方に向けて立ち上げられた略長方形状の弾性片として形成されている。この取り外し片７３は、前方固定部７１と後方固定部７２との相互間において、メカニカルスプライスＭＳ１、ＭＳ２の長手方向に沿うように配置されている。そして、図９（ｂ）に示すように、この取り外し片７３を、メカニカルスプライスＭＳ１、ＭＳ２のいずれかに向けて（図９（ｂ）ではメカニカルスプライスＭＳ１に向けている例を示す）指等にて押し曲げることで、取り外し片７３でメカニカルスプライスＭＳ１、ＭＳ２を押し出して、メカニカルスプライスＭＳ１、ＭＳ２をスプライス固定部７０から取り外すことができる。従って、メカニカルスプライスＭＳ１、ＭＳ２を容易かつ確実に取り外すことができ、光受信機の設置作業性を向上させることができる。
【００５０】
（実施の形態２の効果）
このように実施の形態２によれば、取り外し片７３を用いてメカニカルスプライスＭＳ１、ＭＳを容易かつ確実に取り外すことができ、光受信機の設置作業性を向上させることができる。
【００５１】
〔実施の形態３〕
次に、本発明に係る実施の形態３の具体的内容について詳細に説明する。この実施の形態３は、実施の形態１とは異なる固定手段を備えた光受信機に関するものである。ただし、特に説明なき構成においては実施の形態１と同様であるものとし、実施の形態１と同様の構成要素には、必要に応じて、実施の形態１で使用したものと同一の符号を付する。
【００５２】
図１０は実施の形態３に係るスプライス固定部の正面図、図１１はスプライス固定部とメカニカルスプライサとの位置関係を示す正面図である。スプライス固定部８０は、特許請求の範囲における接続具固定手段に対応するものであり、前方固定部８１、後方固定部８２、及び、３つの取り外し片８３〜８５を備えて構成されている。前方固定部８１と後方固定部８２とは、それぞれ、実施の形態１の前方固定部５１及び後方固定部５２と略同様に構成されている。
【００５３】
また、３つの取り外し片８３〜８５は、特許請求の範囲における取り外し手段に対応するもので、ベース部８３ａ〜８５ａ及び突起部８３ｂ〜８５ｂを備えて構成されている。これら取り外し片８３〜８５は、特記する構成を除いて実施の形態１の５３〜５５と略同様に構成されているが、実施の形態１と異なり、メカニカルスプライスＭＳ１〜ＭＳ３の長手方向に対して略直交するように配置されている。また、３つの取り外し片８３〜８５の各々の全長はＬ１〜Ｌ３のように相互に異なるように決定されている（Ｌ１＜Ｌ２＜Ｌ３）。具体的には、図１１に示すように、全長Ｌ１の取り外し片８３は、その突起部８３ｂがメカニカルスプライスＭＳ１の後方に位置するように、全長Ｌ２の取り外し片８４は、そのベース部８４ａがメカニカルスプライスＭＳ１の後方に位置すると共にその突起部８４ｂがメカニカルスプライスＭＳ２の後方に位置するように、全長Ｌ３の取り外し片８５は、そのベース部８５ａがメカニカルスプライスＭＳ１、ＭＳ２の後方に位置すると共にその突起部８５ｂがメカニカルスプライスＭＳ３の後方に位置するように、形成されている。
【００５４】
従って、取り外し片８３を前方に押し上げた場合には、その突起部８３ｂによってメカニカルスプライスＭＳ１のみを押し上げて、メカニカルスプライスＭＳ１のみを取り外すことができる。また、取り外し片８４を前方に押し上げた場合には、その突起部８４ｂによってメカニカルスプライスＭＳ２を押し上げると共に、これに伴って弾性変形したベース部８４ａによってメカニカルスプライスＭＳ１を押し上げて、これらメカニカルスプライスＭＳ１、ＭＳ２を同時に取り外すことができる。さらに、取り外し片８５を前方に押し上げた場合には、その突起部８５ｂによってメカニカルスプライスＭＳ３を押し上げると共に、これに伴って弾性変形したベース部８５ａによってメカニカルスプライスＭＳ１、ＭＳ２を押し上げて、これらメカニカルスプライスＭＳ１〜ＭＳ３の全てを同時に取り外すことができる。
【００５５】
（実施の形態３の効果）
このように実施の形態３によれば、取り外し片８３〜８５を用いてメカニカルスプライスＭＳ１〜ＭＳ３を容易かつ確実に取り外すことができ、光受信機の設置作業性を向上させることができる。特に、複数のメカニカルスプライスＭＳ１〜ＭＳ３を所定の組合せで同時に取り外すことができるので、光受信機の設置作業性を向上させることができる。
【００５６】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５７】
（本発明の適用分野について）
本発明の適用対象は、上述したような光受信機には限られず、光ファイバ収納箱や光コンバータ、その他、光ファイバＯＦ１〜ＯＦ６の如き通信ケーブルを固定可能な機器であれば、どの様な機器に対しても同様に適用可能である。
【００５８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、従来とは異なる信号伝送形態を採用した場合において、その構成要素の全てを固定できない場合であっても、従来の光受信機に比べて若干でもその固定可能性や着脱作業性が向上している限りにおいて、本発明の課題が達成されている。
【００５９】
（スプライス固定部について）
スプライス固定部の形状や位置は、図示の位置に限定されない。例えば、実施の形態１において、前方固定部５１、後方固定部５２、及び、３枚の取り外し片５３〜５５の組合せを４つ以上に増やすことにより、４つ以上のメカニカルスプライスを固定できる。あるいは、スプライス固定部５０を、余長処理部の任意の位置に形成することができる。また、取り外し片５３〜５５は、メカニカルスプライスの全てに対して設ける必要は必ずしもなく、例えば、両側方に配置されるメカニカルスプライスの取り外しを取り外し片の有無に関わらず容易に行なうことができる場合には、真ん中に配置されるメカニカルスプライスに対応する取り外し片５４のみを設け、両側方の取り外し片５３、５５を省略してもよい。。また、突起部５３ｂ〜５５ｂ、８３ｂ〜８５ｂは必ずしも必要ではなく、取り外し片５３〜５５をベース部５３ａ〜５５ａ、８３ａ〜８５ａのみで構成し、このベース部５３ａ〜５５ａ、８３ａ〜８５ａを指や治具で後方から直接押し上げるようにしてもよい。
【００６０】
（フィルタ固定部６０について）
フィルタ固定部６０の形状や位置は、図示の位置に限定されない。例えば、実施の形態１において、フィルタ固定部６０を複数設けることにより、複数のＷＤＭフィルタＦ１を固定できる。あるいは、フィルタ固定部６０を、余長処理部２４の任意の位置に形成することができる。また、フィルタ固定部６０に対しても、その取り外し作業を容易化するため、上述したものと略同様の取り外し片を設けることができる。すなわち、光ファイバの収容路２５を切欠くことによって取り外し片を形成し、この取り外し片を指や治具で後方から押し上げることによって、ＷＤＭフィルタＦ１を前方に向けて押し出すようにしてもよい。
【産業上の利用可能性】
【００６１】
この発明は、各種の光ファイバを収容する必要がある装置に適用でき、メカニカルスプライスや各種のフィルタの固定作業性を向上させることに有用である。
【図面の簡単な説明】
【００６２】
【図１】本発明の実施の形態に係る光受信機の正面図である。
【図２】図１の光受信機の底面図である。
【図３】カバー部を開いた状態における図１の光受信機の正面図である。
【図４】光受信機における信号の伝送経路を概念的に示す信号系統図である。
【図５】光ファイバトレイの斜視図である。
【図６】スプライス固定部の拡大図であり、（ａ）はスプライス固定部の正面図、（ｂ）はスプライス固定部の側面図、（ｃ）は（ｂ）とは異なる方向から見たスプライス固定部の側面図である。
【図７】スプライス固定部の拡大図であり、（ａ）はメカニカルスプライスの固定時におけるスプライス固定部の縦断面図、（ｂ）はメカニカルスプライスの取り外し時におけるスプライス固定部の縦断面図である。
【図８】フィルタ固定部の拡大図であり、（ａ）はＷＤＭフィルタの非固定時におけるフィルタ固定部の正面図、（ｂ）はＷＤＭフィルタの固定時におけるフィルタ固定部の正面図である。
【図９】実施の形態２に係るスプライス固定部の拡大図であり、（ａ）はメカニカルスプライスの固定時におけるスプライス固定部の斜視図、（ｂ）はメカニカルスプライスの取り外し時におけるスプライス固定部の斜視図である。
【図１０】実施の形態３に係るスプライス固定部の正面図である。
【図１１】スプライス固定部とメカニカルスプライサとの位置関係を示す正面図である。
【図１２】カバー部を開いた状態における従来の光受信機の斜視図である。
【符号の説明】
【００６３】
１、１００  光受信機
１０、１０１  筐体
１１  ベース部
１２  カバー部
１３  引き込み口
２０、１０３  光ファイバトレイ
２４、１０４  余長処理部
２５  収容路
２６  外壁
３０、１０２  光電変換ユニット
３１  接続端子
４０  ファイバ固定部
５０、７０、８０  スプライス固定部
５１、７１、８１  前方固定部
５１ａ〜５１ｄ  前方固定板
５２、７２、８２  後方固定部
５２ａ〜５２ｂ  後方固定板
５３〜５５、８３〜８５  取り外し片
５３ａ〜５５ａ、８３ａ〜８５ａ  ベース部
５３ｂ〜５５ｂ、８３ｂ〜８５ｂ  突起部
６０  フィルタ固定部
６０ａ、６０ｂ  可動壁
ＯＦ１〜ＯＦ６  光ファイバ
ＭＳ１〜ＭＳ３  メカニカルスプライス
Ｆ１  ＷＤＭフィルタ
【図１】
0004614864.tif 000002
【図２】
0004614864.tif 000003
【図３】
0004614864.tif 000004
【図４】
0004614864.tif 000005
【図５】
0004614864.tif 000006
【図６】
0004614864.tif 000007
【図７】
0004614864.tif 000008
【図８】
0004614864.tif 000009
【図９】
0004614864.tif 000010
【図１０】
0004614864.tif 000011
【図１１】
0004614864.tif 000012
【図１２】
0004614864.tif 000013